(57)【特許請求の範囲】
【請求項１】
合成樹脂製包装袋の開口部の内側面に密封用チャックとロック用チャックとを平行に配置したチャイルドレジスタンス機能付チャックであって、
前記密封用チャックは、合成樹脂製包装袋の開口部の内側面に接着される一対の密封用接着帯体と、該密封用接着帯体の対向面に突設された密封用嵌合凸部及び密封用嵌合凹部を嵌合する密封用嵌合体と備え、当該密封用嵌合体を構成する前記密封用嵌合凸部及び前記密封用嵌合凹部の嵌合によって前記開口部の内側面を密封状態に接合する一方、前記合成樹脂製包装袋の開口部の開口操作に伴って前記密封用嵌合体が開封されるように構成され、
前記ロック用チャックは、合成樹脂製包装袋の開口部の内側面に接着される一対のロック用接着帯体と、該ロック用接着帯体の対向面に突設され、前記密封用チャックの前記密封用嵌合体を構成する前記密封用嵌合凸部及び前記密封用嵌合凹部の嵌合力より強力な嵌合力を有するロック用嵌合凸部及びロック用嵌合凹部を有するロック用嵌合体を有すると共に、そのロック用嵌合体の一部に解除用切抜部が設けられ、該解除用切抜部から前記ロック用嵌合体が開封されるように構成され、
前記ロック用チャックを構成する前記ロック用嵌合体の前記ロック用嵌合凸部と前記ロック用嵌合凹部、および前記密封用チャック構成する前記密封用嵌合体の前記密封用嵌合凸部と前記密封用嵌合凹部とを嵌合した状態では前記ロック用チャックと前記密封用チャックの厚さが同じになるように構成したことを特徴とするチャイルドレジスタンス機能付チャック。
【請求項２】
前記ロック用チャックにおいて、前記解除用切抜部は、前記ロック用嵌合体に沿って前記ロック用嵌合体と前記解除用切抜部とが交互に設けられ、嵌合した前記ロック用嵌合体の前記ロック用嵌合凸部と前記ロック用嵌合凹部とを夫々隣接する前記解除用切抜部方向に向けて逆向きにスライド移動すると前記ロック用嵌合体が開封するように構成した請求項１記載のチャイルドレジスタンス機能付チャック。
【請求項３】
前記ロック用チャックにおいて、前記解除用切抜部は前記ロック用嵌合体の長手端部に設けられ、該解除用切抜部に指を挿入して嵌合状態の前記ロック用嵌合体を開封するように構成した請求項１記載のチャイルドレジスタンス機能付チャック。
【請求項４】
請求項１〜請求項３のいずれか一の請求項に記載のチャイルドレジスタンス機能付チャックにおいて、
前記密封用チャックと前記ロック用チャックとは、前記密封用接着帯体と前記ロック用接着帯体とが隙間を空けることなく密着した状態で平行に配置されていることを特徴とするチャイルドレジスタンス機能付チャック。
【請求項５】
合成樹脂製包装袋の開口部の内側面に密封用チャックとロック用チャックとを平行に配置したチャック付包装袋であって、
前記密封用チャックは、合成樹脂製包装袋の開口部の内側面に接着される一対の密封用接着帯体と、該密封用接着帯体の対向面に突設された密封用嵌合凸部及び密封用嵌合凹部を嵌合する密封用嵌合体と備え、当該密封用嵌合体を構成する前記密封用嵌合凸部及び前記密封用嵌合凹部の嵌合によって前記開口部の内側面を密封状態に接合する一方、前記合成樹脂製包装袋の開口部の開口操作に伴って前記密封用嵌合体が開封されるように構成され、
前記ロック用チャックは、合成樹脂製包装袋の開口部の内側面に接着される一対のロック用接着帯体と、該ロック用接着帯体の対向面に突設され、前記密封用チャックの前記密封用嵌合体を構成する前記密封用嵌合凸部及び前記密封用嵌合凹部の嵌合力より強力な嵌合力を有するロック用嵌合凸部及びロック用嵌合凹部を有するロック用嵌合体を有すると共に、そのロック用嵌合体の一部に解除用切抜部が設けられ、該解除用切抜部から前記ロック用嵌合体が開封されるように構成され、
前記ロック用チャックを構成する前記ロック用嵌合体の前記ロック用嵌合凸部と前記ロック用嵌合凹部、および前記密封用チャック構成する前記密封用嵌合体の前記密封用嵌合凸部と前記密封用嵌合凹部とを嵌合した状態では前記ロック用チャックと前記密封用チャックの厚さが同じになるように構成し、
前記包装袋の開口部側に前記ロック用チャックを配置し、前記包装袋の収納部側に前記密封用チャックを配置して小児の開封を防止するように構成したことを特徴とするチャック付包装袋。
【請求項６】
合成樹脂製包装袋の開口部の内側面に密封用チャックとロック用チャックとを平行に配置したチャック付包装袋であって、
前記密封用チャックは、合成樹脂製包装袋の開口部の内側面に接着される一対の密封用接着帯体と、該密封用接着帯体の対向面に突設された密封用嵌合凸部及び密封用嵌合凹部を嵌合する密封用嵌合体と備え、当該密封用嵌合体を構成する前記密封用嵌合凸部及び前記密封用嵌合凹部の嵌合によって前記開口部の内側面を密封状態に接合する一方、前記合成樹脂製包装袋の開口部の開口操作に伴って前記密封用嵌合体が開封されるように構成され、
前記ロック用チャックは、合成樹脂製包装袋の開口部の内側面に接着される一対のロック用接着帯体と、該ロック用接着帯体の対向面に突設され、前記密封用チャックの前記密封用嵌合体を構成する前記密封用嵌合凸部及び前記密封用嵌合凹部の嵌合力より強力な嵌合力を有するロック用嵌合凸部及びロック用嵌合凹部を有するロック用嵌合体を有すると共に、そのロック用嵌合体の長手方向端部に指が挿入可能な解除用切抜部が設けられ、該解除用切抜部に指を挿入して嵌合状態の前記ロック用嵌合体を開封するように構成され、
前記ロック用チャックを構成する前記ロック用嵌合体の前記ロック用嵌合凸部と前記ロック用嵌合凹部、および前記密封用チャック構成する前記密封用嵌合体の前記密封用嵌合凸部と前記密封用嵌合凹部とを嵌合した状態では前記ロック用チャックと前記密封用チャックの厚さが同じになるように構成し、
前記包装袋の開口部側に前記ロック用チャックを配置し、前記包装袋の収納部側に前記密封用チャックを配置して小児の開封を防止するように構成したことを特徴とするチャック付包装袋。
【請求項７】
請求項５または請求項６に記載のチャック付包装袋において、
前記密封用チャックと前記ロック用チャックとは、前記密封用接着帯体と前記ロック用接着帯体とが隙間を空けることなく密着した状態で平行に配置されていることを特徴とするチャック付包装袋。
【発明の詳細な説明】
【技術分野】
【０００１】
本発明は、子供のいたずら等では開封が困難になり、所定の手順により容易に開封できるチャイルドレジスタンス機能付チャック及びチャック付包装袋に関するものである。
【背景技術】
【０００２】
チャイルドレジスタンス（child-resistant）機能とは、子供が簡単に操作できないようにする機能・機構のことで、例えば、ライターのいたずら防止や、子供が薬品容器などを簡単に開封できないようにする機能である。
【０００３】
一方、チャック付包装袋は密封性が高く開閉が容易なことから各種の包装に用いられている。例えば、特許文献１に記載のチャック付包装袋は、特に電子レンジ等により加熱調理を行う食品の包装に適したものである。すなわち、袋体開口部に２本のチャックを平行に設け、加熱時において一方のチャックのみを開き、加熱終了後の保存の場合は開いたチャックを閉じるように構成することで、簡単な操作手順で加熱処理及びその後の保存を可能にするというものである。
【先行技術文献】
【特許文献】
【０００４】
【特許文献１】特許第３６５５１０４号公報
【発明の開示】
【発明が解決しようとする課題】
【０００５】
従来のチャックによると、特許文献１のように加熱調理を行う食品の包装に適したものなどは提案されているが、子供のいたずらによる開封を防止するチャイルドレジスタンス機能を備えたチャックはこれまで提案されていなかった。
【０００６】
そのため、チャックを備えた包装袋に子供の誤飲を防止する必要のある内容物を収納する場合、包装袋の管理に極めて多くの注意や手間を要するものであった。したがって、小児の開封が困難になるチャイルドレジスタンス機能を備えたチャックやチャック付包装袋の提供が望まれていた。
【０００７】
そこで本発明は、上述の課題を解消すべく創出されたもので、子供等のいたずらでは開封が困難になり、所定の手順で容易に開封することができるチャイルドレジスタンス機能付チャック及びチャック付包装袋の提供を目的とするものである。
【課題を解決するための手段】
【０００８】
前記課題を解決するため、本発明に係るチャイルドレジスタンス機能付チャックは、合成樹脂製包装袋の開口部の内側面に密封用チャックとロック用チャックとを平行に配置したチャイルドレジスタンス機能付チャックであって、前記密封用チャックは、合成樹脂製包装袋の開口部の内側面に接着される一対の密封用接着帯体と、該密封用接着帯体の対向面に突設された密封用嵌合凸部及び密封用嵌合凹部を嵌合する密封用嵌合体と備え、当該密封用嵌合体を構成する前記密封用嵌合凸部及び前記密封用嵌合凹部の嵌合によって前記開口部の内側面を密封状態に接合する一方、前記合成樹脂製包装袋の開口部の開口操作に伴って前記密封用嵌合体が開封されるように構成され、前記ロック用チャックは、合成樹脂製包装袋の開口部の内側面に接着される一対のロック用接着帯体と、該ロック用接着帯体の対向面に突設され、前記密封用チャックの前記密封用嵌合体を構成する前記密封用嵌合凸部及び前記密封用嵌合凹部の嵌合力より強力な嵌合力を有するロック用嵌合凸部及びロック用嵌合凹部を有するロック用嵌合体を有すると共に、そのロック用嵌合体の一部に解除用切抜部が設けられ、該解除用切抜部から前記ロック用嵌合体が開封されるように構成され、前記ロック用チャックを構成する前記ロック用嵌合体の前記ロック用嵌合凸部と前記ロック用嵌合凹部、および前記密封用チャック構成する前記密封用嵌合体の前記密封用嵌合凸部と前記密封用嵌合凹部とを嵌合した状態では前記ロック用チャックと前記密封用チャックの厚さが同じになるように構成したことを特徴とする。
また、本発明に係るチャイルドレジスタンス機能付チャックは、前記ロック用チャックにおいて、前記解除用切抜部は、前記ロック用嵌合体に沿って前記ロック用嵌合体と前記解除用切抜部とが交互に設けられ、嵌合した前記ロック用嵌合体の前記ロック用嵌合凸部と前記ロック用嵌合凹部とを夫々隣接する前記解除用切抜部方向に向けて逆向きにスライド移動すると前記ロック用嵌合体が開封するように構成したことも特徴とする。
また、本発明に係るチャイルドレジスタンス機能付チャックは、前記ロック用チャックにおいて、前記解除用切抜部は前記ロック用嵌合体の長手端部に設けられ、該解除用切抜部に指を挿入して嵌合状態の前記ロック用嵌合体を開封するように構成したことも特徴とする。
また、本発明に係るチャイルドレジスタンス機能付チャックは、前記チャイルドレジスタンス機能付チャックにおいて、前記密封用チャックと前記ロック用チャックとは、前記密封用接着帯体と前記ロック用接着帯体とが隙間を空けることなく密着した状態で平行に配置されていることも特徴する。
また、本発明に係るチャック付包装袋は、合成樹脂製包装袋の開口部の内側面に密封用チャックとロック用チャックとを平行に配置したチャック付包装袋であって、前記密封用チャックは、合成樹脂製包装袋の開口部の内側面に接着される一対の密封用接着帯体と、該密封用接着帯体の対向面に突設された密封用嵌合凸部及び密封用嵌合凹部を嵌合する密封用嵌合体と備え、当該密封用嵌合体を構成する前記密封用嵌合凸部及び前記密封用嵌合凹部の嵌合によって前記開口部の内側面を密封状態に接合する一方、前記合成樹脂製包装袋の開口部の開口操作に伴って前記密封用嵌合体が開封されるように構成され、前記ロック用チャックは、合成樹脂製包装袋の開口部の内側面に接着される一対のロック用接着帯体と、該ロック用接着帯体の対向面に突設され、前記密封用チャックの前記密封用嵌合体を構成する前記密封用嵌合凸部及び前記密封用嵌合凹部の嵌合力より強力な嵌合力を有するロック用嵌合凸部及びロック用嵌合凹部を有するロック用嵌合体を有すると共に、そのロック用嵌合体の一部に解除用切抜部が設けられ、該解除用切抜部から前記ロック用嵌合体が開封されるように構成され、前記ロック用チャックを構成する前記ロック用嵌合体の前記ロック用嵌合凸部と前記ロック用嵌合凹部、および前記密封用チャック構成する前記密封用嵌合体の前記密封用嵌合凸部と前記密封用嵌合凹部とを嵌合した状態では前記ロック用チャックと前記密封用チャックの厚さが同じになるように構成し、前記包装袋の開口部側に前記ロック用チャックを配置し、前記包装袋の収納部側に前記密封用チャックを配置して小児の開封を防止するように構成したことを特徴とする。
また、本発明に係るチャック付包装袋は、合成樹脂製包装袋の開口部の内側面に密封用チャックとロック用チャックとを平行に配置したチャック付包装袋であって、前記密封用チャックは、合成樹脂製包装袋の開口部の内側面に接着される一対の密封用接着帯体と、該密封用接着帯体の対向面に突設された密封用嵌合凸部及び密封用嵌合凹部を嵌合する密封用嵌合体と備え、当該密封用嵌合体を構成する前記密封用嵌合凸部及び前記密封用嵌合凹部の嵌合によって前記開口部の内側面を密封状態に接合する一方、前記合成樹脂製包装袋の開口部の開口操作に伴って前記密封用嵌合体が開封されるように構成され、前記ロック用チャックは、合成樹脂製包装袋の開口部の内側面に接着される一対のロック用接着帯体と、該ロック用接着帯体の対向面に突設され、前記密封用チャックの前記密封用嵌合体を構成する前記密封用嵌合凸部及び前記密封用嵌合凹部の嵌合力より強力な嵌合力を有するロック用嵌合凸部及びロック用嵌合凹部を有するロック用嵌合体を有すると共に、そのロック用嵌合体の長手方向端部に指が挿入可能な解除用切抜部が設けられ、該解除用切抜部に指を挿入して嵌合状態の前記ロック用嵌合体を開封するように構成され、前記ロック用チャックを構成する前記ロック用嵌合体の前記ロック用嵌合凸部と前記ロック用嵌合凹部、および前記密封用チャック構成する前記密封用嵌合体の前記密封用嵌合凸部と前記密封用嵌合凹部とを嵌合した状態では前記ロック用チャックと前記密封用チャックの厚さが同じになるように構成し、前記包装袋の開口部側に前記ロック用チャックを配置し、前記包装袋の収納部側に前記密封用チャックを配置して小児の開封を防止するように構成したことを特徴とする。
また、本発明に係るチャック付包装袋は、前記チャック付包装袋において、前記密封用チャックと前記ロック用チャックとは、前記密封用接着帯体と前記ロック用接着帯体とが隙間を空けることなく密着した状態で平行に配置されていることも特徴とする。
【発明の効果】
【００１３】
本発明の請求項１のごとく、密封チャックの嵌合力より強力な嵌合力を有し嵌合体２の一部に解除用切抜部３が設けられ、該解除用切抜部３から開封されるロック用チャック１０を構成したことにより、包装袋Ｐの開口部Ｐ１を開いてもロック用チャック１０の嵌合体２が開封せず、解除用切抜部３から開封できるので、小児のいたずら等では開封が困難になる。
【００１４】
請求項２のように、嵌合体２に沿って嵌合体２と解除用切抜部３とが交互に設けられ、嵌合した嵌合体２の嵌合凸部２Ａと嵌合凹部２Ｂとを夫々隣接する解除用切抜部３方向に向けて逆向きにスライド移動すると嵌合体２が開封するようにロック用チャック１０を構成したことから、包装袋Ｐの開口部Ｐ１を開口する操作をしてもロック用チャック１０は開封せず、小児のいたずらでは開封できない構成になっている。
【００１５】
請求項３のごとく、解除用切抜部３は嵌合体２の長手端部に設けられ、該解除用切抜部３に指を挿入して嵌合状態の嵌合体２を開封するようにロック用チャック１０を構成したことで、包装袋Ｐの開口部Ｐ１を開口する操作をしてもロック用チャック１０は開封しない。この結果、小児のいたずらでは開封できない構成になっている。
【００１６】
請求項５や請求項６のように、ロック用チャック１０を備えた包装袋Ｐによると、チャイルドレジスタンス機能を備えた各種の包装袋Ｐを提供することが可能になった。また、ロック用チャック１０を開封すると、開口部Ｐ１の開封操作で密封用チャック２０を開封できるので、通常の使用が可能になる。
【００１７】
このように本発明によると、小児の開封が困難になるチャイルドレジスタンス機能を備えたチャックやチャック付包装袋の提供に成功したものである。
【図面の簡単な説明】
【００１８】
【図１】本発明の一実施例を示す正面図である。
【図２】図１に示す矢視II-II線を示す側断面図である。
【図３】開口部を広げた際のロック構造を示す側断面図である。
【図４】本発明の他の実施例を示す正面図である。
【図５】図４に示す矢視V-V線を示す側断面図である。
【発明を実施するための形態】
【００１９】
本発明チャックは、嵌合体２を開閉自在に嵌合する合成樹脂製のチャックであり、チャックの基本構成は、接着帯体１に嵌合体２を突設したもので、嵌合体２の嵌合力で包装袋Ｐの開口部Ｐ１を開封自在に接合する（図１、図４参照）。
【００２０】
接着帯体１は、合成樹脂製包装袋Ｐの開口部Ｐ１内側に接着される帯状の部材である（図１参照）。また、嵌合体２は、着帯体１の対向面に突設された嵌合凸部２Ａ及び嵌合凹部２Ｂを嵌合する部材である。
【００２１】
本発明では、ロック用チャック１０と密封用チャック２０との２種類のチャックを併用する（図１、図４参照）。密封用チャック２０は、開口部Ｐ１の内側面を密封状態に接合するチャックで、包装袋Ｐの開口部Ｐ１を開口する操作に伴って嵌合状態の嵌合体２が開封される一般的なチャックである。
【００２２】
一方、ロック用チャック１０は、嵌合体２の嵌合力が密封用チャック２０の嵌合力より強力な嵌合力を有するもので、包装袋Ｐの開口部Ｐ１を開口する操作では開封が困難になるように設けている。更に、嵌合体２の一部に解除用切抜部３を設けている（図１、図４参照）。この解除用切抜部３は、ロック用チャック１０の嵌合状態にある嵌合体２を開封するように設けている。
【００２３】
図１〜図３に示すロック用チャック１０は、嵌合体２の長手方向に沿って嵌合体２と解除用切抜部３とが交互に設けられたものである（図３（イ）参照）。そして、嵌合状態の嵌合凸部２Ａと嵌合凹部２Ｂとを夫々隣接する解除用切抜部３方向に逆方向にスライド移動すると（同図（ロ）参照）、嵌合体２が開封するように構成している（同図（ハ）参照）。図示の解除用切抜部３は、嵌合体２に沿って多数設けているが、解除用切抜部３の数や間隔は図示例に限られるものではなく、任意に設定することができる。
【００２４】
図４、図５に示すロック用チャック１０は、嵌合体２の長手端部に設けられ、この解除用切抜部３に指を挿入して嵌合状態の嵌合体２を解除するように構成したものである。すなわち、この解除用切抜部３に指先を挿入することで、強制的に嵌合体２を開封することができる。図示例では、嵌合体２の長手両端部に解除用切抜部３を設けているが、いずれか一方に設けてもよい。また、解除用切抜部３は、指先を挿入する幅に形成する他、嵌合体２の一部を切り欠いて解除用切抜部３を形成することもできる。要は、指先にて嵌合体２を開封できる解除用切抜部３であれば良いものである。
【００２５】
本発明包装袋は、嵌合体２の嵌合力で開口部Ｐ１を開封自在に接合するチャックを設けた包装袋Ｐである（図１、図４参照）。すなわち、ロック用チャック１０と密封用チャック２０とを開口部Ｐ１に備えた包装袋Ｐが対象となる。
【００２６】
このとき、ロック用チャック１０の構成は、図１に示すロック用チャック１０や図４に示すロック用チャック１０から選択することができる。また、密封用チャック２０は、従来使用されているいかなるチャックでも良い。
【００２７】
そして、ロック用チャック１０を包装袋Ｐの開口部Ｐ１がわに配置することで、小児のいたずらによる開封を防止している（図２、図５参照）。また、包装袋Ｐの収納部がわに密封用チャック２０を配置することで、包装袋Ｐを密封するものである。図示例では、ロック用チャック１０と密封用チャック２０とを別々に設けているが、これらは一体に設けることもできる。
【００２８】
このように、本発明包装袋は、ロック用チャック１０と密封用チャック２０とを開口部Ｐ１に併用する全ての包装袋を対象とするものである。したがって、本発明包装袋は、図示のような平袋を始め、各種ガゼット袋などでもよく、包装袋Ｐの形状、構造、サイズ、収納物等は任意に変更することができるものである。
【符号の説明】
【００２９】
Ｐ  包装袋
Ｐ１  開口部
Ｐ２  収納部
１  接着帯体
２  嵌合体
２Ａ  嵌合凸部
２Ｂ  嵌合凹部
３  解除用切抜部
１０  ロック用チャック
２０  密封用チャック
【図１】
0006379003.tif 000002
【図２】
0006379003.tif 000003
【図３】
0006379003.tif 000004
【図４】
0006379003.tif 000005
【図５】
0006379003.tif 000006